(57)【特許請求の範囲】
【請求項１】
バックライトユニットと、
前記バックライトユニットからの光を利用して画像を形成するものであって、相異なる波長帯域の光を透過させる複数のサブ画素からなる複数の画素が二次元的に反復配列されたカラーフィルタと、電気的制御により入射光の透過率を調節する液晶層と、前記液晶層を間に挟んで互いに離隔して配置される上部偏光板及び下部偏光板と、前記上部偏光板の前記液晶層と反対側の外表面上又は前記下部偏光板の前記液晶層と反対側の外表面上に直接配置され、前記サブ画素幅をピッチとして反復配列されてストライプ状に形成された複数の拡散粒子を含む複数の樹脂パターンを有する液晶パネルと、を備え、
前記複数の樹脂パターンは前記バックライトユニットからの光に対して拡散領域を構成し、前記樹脂パターンに隣接する空き空間は透過領域を構成し、該樹脂パターンの幅は、該隣接する空き空間の幅以上の幅を有し、
前記液晶層は、前記サブ画素ごとに前記拡散領域に対応する領域と前記透明領域に対応する領域とに分けられ、前記液晶層の透過率は前記拡散領域に対応する領域と前記透明領域に対応する領域ごとに別途に調節されることを特徴とする液晶ディスプレイ装置。
【請求項２】
前記拡散領域に対応する液晶層領域を通過した光を画像形成光として使用して、視野角の広い公共（ｐｕｂｌｉｃ）モードを具現し、
前記拡散領域に対応する液晶層領域を通過した光を画像形成光として使用しないことによって、視野角の相対的に狭い個人（ｐｒｉｖａｔｅ）モードを具現することを特徴とする請求項１に記載の液晶ディスプレイ装置。
【請求項３】
前記拡散領域が反復されるピッチに対する前記拡散領域の幅の比は、０．５〜０．９の値を有することを特徴とする請求項１に記載の液晶ディスプレイ装置。
【発明の詳細な説明】
【技術分野】
【０００１】
本発明は、液晶ディスプレイ装置に関し、詳細には、視野角を調節することができるディスプレイ装置に関する。
【背景技術】
【０００２】
近年、通信技術及びディスプレイ装置の発達につれて、例えば、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）、ＤＭＢ（Ｄｉｇｉｔａｌ  Ｍｕｌｔｉｍｅｄｉａ  Ｂｒｏａｄｃａｓｔｉｎｇ）などの携帯用端末機が多く開発されている。
【０００３】
これらの携帯用端末機に一般的に使われる受光型平板ディスプレイの一種である液晶表示素子（Ｌｉｑｕｉｄ  Ｃｒｙｓｔａｌ  Ｄｉｓｐｌａｙ  Ｄｅｖｉｃｅ、ＬＣＤ）は、印加電圧によって液晶セルを透過する光の透過率を変えることを利用して画像を形成するが、自身に発光能力がないため、バックライトユニットのような別途の光源装置を必要とする。
【０００４】
このような液晶ディスプレイ装置の場合、バックライトユニットから出た光が液晶セルを垂直に通過する場合と、斜めに通過する場合との経路差により視野角が狭くなる問題点があって、これを補完して視野角を広げる多様な設計案が提示されている。
一方、ユーザーにおいて視野角の広い特性のみ好まれるものではなく、かえって、プライバシー保護が必要であるか、またはセキュリティが要求される作業を行う時には、他人が見られないように狭い視野角特性が好まれる。
【０００５】
このように、最近では、プライバシー保護が必要な個人（ｐｒｉｖａｔｅ）モードでは狭い視野角特性を持ち、いろいろな人がディスプレイを共に見る必要がある公共（ｐｕｂｌｉｃ）モードでは広い視野角特性を持つように、視野角が調節されるディスプレイ装置が試みられている。
例えば、特許文献１によれば、高分子分散型液晶（Ｐｏｌｙｍｅｒ  Ｄｉｓｐｅｒｓｅｄ  Ｌｉｑｕｉｄ  Ｃｒｙｓｔａｌ；ＰＤＬＣ）が液晶パネルの上部に配された構造のディスプレイ装置が開示されている。ＰＤＬＣは、印加電圧によって拡散状態または透明状態に転換し、拡散状態である時は、入射光が拡散透過されて視野角が広くなり、透明状態である時は、コリメートされた入射光が広がらずに通過して狭い視野角を持つようになる。
【０００６】
しかし、これらの装置は、視野角調節のためにＰＤＬＣを別途に備えていてコスト高になる構造である。また、ＰＤＬＣは、コントラスト特性を確保するために基本的に液晶セルを厚くしなければならないので、ＰＤＬＣ駆動電圧が高いだけではなく、液晶パネルを通過した画像がＰＤＬＣを通過するまでの経路が長くて、像の染み（ｉｍａｇｅ  ｂｌｕｒｒｉｎｇ）が発生するという問題点があった。
【先行技術文献】
【特許文献】
【０００７】
【特許文献１】特開平０９−１９７４０５号公報
【発明の概要】
【発明が解決しようとする課題】
【０００８】
そこで、本発明は上記従来の液晶ディスプレイ装置における問題点に鑑みてなされたものであって、本発明の目的は、視野角を調節することができる液晶ディスプレイ装置を提供することにある。
【課題を解決するための手段】
【００１３】
上記目的を達成するためになされた本発明による液晶ディスプレイ装置は、バックライトユニットと、前記バックライトユニットからの光を利用して画像を形成するものであって、相異なる波長帯域の光を透過させる複数のサブ画素からなる複数の画素が二次元的に反復配列されたカラーフィルタと、電気的制御により入射光の透過率を調節する液晶層と、前記液晶層を間に挟んで互いに離隔して配置される上部偏光板及び下部偏光板と、前記上部偏光板の前記液晶層と反対側の外表面上又は前記下部偏光板の前記液晶層と反対側の外表面上に直接配置され、前記サブ画素幅をピッチとして反復配列されてストライプ状に形成された複数の拡散粒子を含む複数の樹脂パターンを有する液晶パネルと、を備え、前記複数の樹脂パターンは前記バックライトユニットからの光に対して拡散領域を構成し、前記樹脂パターンに隣接する空き空間は透過領域を構成し、該樹脂パターンの幅は、該隣接する空き空間の幅以上の幅を有し、前記液晶層は、前記サブ画素ごとに前記拡散領域に対応する領域と前記透明領域に対応する領域とに分けられ、前記液晶層の透過率は前記拡散領域に対応する領域と前記透明領域に対応する領域ごとに別途に調節されることを特徴とする。
【００１４】
前記拡散領域に対応する液晶層領域を通過した光を画像形成光として使用して、視野角の広い公共（ｐｕｂｌｉｃ）モードを具現し、前記拡散領域に対応する液晶層領域を通過した光を画像形成光として使用しないことによって、視野角の相対的に狭い個人（ｐｒｉｖａｔｅ）モードを具現することが好ましい。
前記拡散領域が反復されるピッチに対する前記拡散領域の幅の比は、０．５〜０．９の値を有することが好ましい。
【発明の効果】
【００１５】
本発明に係る液晶ディスプレイ装置によれば、コリメート機能を持つバックライトユニットと拡散子とを共に採用して視野角を調節できる構造を持ち、狭い視野角の個人モードと広い視野角の公共モードとを効果的に具現できるという効果がある。
【図面の簡単な説明】
【００１６】
【図１】本発明の実施形態による拡散子の構成を概略的に示す斜視図である。
【図２】本発明の実施形態による拡散子の製造方法を説明するための断面図である。
【図３】本発明の実施形態による拡散子の製造方法を説明するための断面図である。
【図４】本発明の実施形態による拡散子の製造方法を説明するための断面図である。
【図５】本発明の実施形態による拡散子の製造方法を説明するための断面図である。
【図６】本発明の実施形態による拡散子の製造方法を説明するための断面図である。
【図７】本発明の実施形態による液晶ディスプレイ装置の概略的な構成を示す断面図であり、視野角の狭い個人モードを具現する時の光路を示す図面である。
【図８】本発明の実施形態による液晶ディスプレイ装置の概略的な構成を示す断面図であり、視野角の広い公共モードを具現する時の光路を示す図面である。
【図９】本発明の実施形態による液晶ディスプレイ装置の概略的な構成を示す断面図であり、視野角の広い公共モードを具現する時の光路を示す図面である。
【図１０】本発明の液晶ディスプレイ装置が個人モードと公共モードとで動作する時の輝度グラフを比較して示すグラフである。
【図１１】本発明の液晶ディスプレイ装置が個人モード及び２つの形態の公共モードで動作する時の輝度グラフを比較して示すグラフである。
【図１２】本発明の液晶ディスプレイ装置に採用されるバックライトユニットについての実施形態の例を示す断面図である。
【図１３】本発明の液晶ディスプレイ装置に採用されるバックライトユニットについての実施形態の例を示す断面図である。
【図１４】本発明の他の実施形態による液晶ディスプレイ装置の概略的な構成を示す断面図である。
【図１５】本発明の他の実施形態による液晶ディスプレイ装置の概略的な構成を示す断面図である。
【発明を実施するための形態】
【００１７】
次に、本発明に係る拡散子及びその製造方法並びにこの拡散子を用いた液晶ディスプレイ装置を実施するための形態の具体例を図面を参照しながら説明する。
【００１８】
図１は、本発明の実施形態による拡散子１０の構成を概略的に示す斜視図である。
図１を参照すると、拡散子１０は、拡散領域Ｄと透明領域Ｔとが一方向に沿って交互に反復配列された構造を持つ。
【００１９】
拡散領域Ｄと透明領域Ｔとが交互にストライプパターンを形成する。拡散領域Ｄの幅は、透明領域Ｔの幅より広く形成される。例えば、拡散領域Ｄが反復される周期Ｌに対する拡散領域Ｄの幅ｄの比は、０．５〜０．９の値を持つことができる。
このように拡散領域Ｄの幅を定めることは、後述する実施形態でディスプレイ装置に採用される時、拡散領域Ｄを透過した光で画像を形成する場合と、透明領域Ｔを透過した光で画像を形成する場合、それぞれが互いに近似した輝度を保持させるためである。
【００２０】
拡散子１０は、例えば、基板１２上に複数の拡散粒子を含む透明樹脂からなる拡散部１４が一方向に沿って反復的に離隔配列された構造を持ち、拡散部１４は拡散領域Ｄをなし、隣接する拡散部１４の間の領域が透明領域Ｔをなす。基板１２は透明材質で形成する。
【００２１】
または、ディスプレイ装置に採用される偏光板を基板１２として採用できる。偏光板上に直接拡散部１４を形成した形態で拡散子１０を構成する場合、ディスプレイ装置の厚さをさらに縮めることができ、像の染みを低減させるのに有利な構造になる。
【００２２】
図２〜図６は、本発明の実施形態による拡散子１０の製造方法を説明するための断面図である。
まず図２、３を参照すると、基板１２上に透明樹脂層１４’を形成する。基板１２は透明基板または偏光板からなる。透明樹脂層１４’は複数の拡散粒子を含み、紫外線により硬化する性質を持つ物質からなる。
【００２３】
次に、図４に示すように、マスク１６を透明樹脂層１４’上に配して紫外線（ＵＶ）を照射する。
マスク１６には複数の開口が一方向に沿って反復的に形成されており、開口は、一方向と直交する方向に長いストライプ形態である。
【００２４】
開口の幅は、図６に示す拡散領域Ｄの幅ｄに対応する。拡散領域Ｄの幅は透明領域Ｔの幅より大きくなるように開口幅を定める。例えば、拡散領域Ｄが反復される周期Ｌに対する拡散領域Ｄの幅ｄの比が０．５〜０．９の値を持つように、開口の幅及び配列周期が決定される。
【００２５】
紫外線（ＵＶ）は、開口を通じて透明樹脂層１４’に照射され、紫外線が照射された部分のみ硬化して拡散部１４をなす（図５参照）。次に、紫外線が照射されずに未硬化である透明樹脂層１４’部分を除去すれば、拡散領域Ｄと透明領域Ｔとが交互に反復配列された構造の拡散子１０が完成する（図６参照）。
【００２６】
上述した工程で、拡散部１４を形成する工程は、基板１２上ではなく、例えば、ディスプレイ装置のための液晶パネル上で行われてもよい。この場合、拡散領域Ｄの配列周期をサブ画素により容易に整列させることもできるからである。
【００２７】
図７〜図９は、本発明の実施形態による液晶ディスプレイ装置１００の概略的な構成を示す断面図であり、図７は、視野角の狭い個人モード、図８及び図９は、視野角の広い公共モードを具現する光路を示す。
【００２８】
図７〜図９を参照すると、本発明の液晶ディスプレイ装置１００は、バックライトユニット１１０、バックライトユニット１１０からの光を利用して画像を形成する液晶パネル、液晶パネルの上部面に設けられ、拡散領域Ｄと透明領域Ｔとが交互に反復配列されてなる拡散子１９０を備える。
【００２９】
液晶パネルは、相異なる波長帯域の光を透過させる複数のサブ画素からなる画素が二次元的に反復配列されたカラーフィルタ１６０と、電気的制御により入射光の透過率を調節する液晶層１５０とを備えている。
また、図７〜図９を参照すると、赤色サブ画素（Ｒ）、緑色サブ画素（Ｇ）、青色サブ画素（Ｂ）が一つの画素をなしている。
【００３０】
液晶層１５０は、上部透明基板１７０と下部透明基板１３０との間に設けられ、カラーフィルタ１６０は、上部透明基板１７０と液晶層１５０との間に設けられる。下部透明基板１３０と液晶層１５０との間には、液晶層１５０を電気的に制御するためのＴＦＴ（Ｔｈｉｎ  Ｆｉｌｍ  Ｔｒａｎｓｉｓｔｏｒ）層１４０が設けられる。
【００３１】
また、上部透明基板１７０及び下部透明基板１３０には、それぞれ上部偏光板１８０、下部偏光板１２０が設けられ、これらは互いに直交する方向の偏光軸を持つ。この時、上部透明基板１８０の厚さをサブ画素幅の約５倍より薄くすることができれば、像の染みを低減させることができて望ましい。
【００３２】
拡散子１９０で拡散領域Ｄと透明領域Ｔとが配列される周期はサブ画素幅と同じく、液晶層１５０は、サブ画素ごとに拡散領域Ｄに対応する領域と透明領域Ｔに対応する領域との透過率が別途に調節されるようになっている。
例えば、ＴＦＴ層１４０は、拡散領域Ｄに対応する液晶層１５０領域を電気的に制御するＴＦＴ１４０ａと、透明領域Ｔに対応する液晶層１５０領域を電気的に制御するＴＦＴ１４０ｂとのアレイになっている。
【００３３】
拡散子１９０の拡散領域Ｄの幅は、透明領域Ｔの幅より広く形成されている。これは、拡散領域Ｄを通過した光で画像を形成する場合と、透明領域Ｔを通過した光で画像を形成する場合とで、互に近似したレベルの正面輝度を保持させるためである。拡散領域Ｄが反復される周期Ｌに対する拡散領域Ｄの幅ｄの比（ｄ／Ｌ）は、概ね０．５〜０．９の値を持つ。
【００３４】
拡散子１９０は、例えば、複数の拡散粒子を含む透明樹脂からなる拡散部１９４が反復的に離隔配列されて構成される。図７〜図９では、上部偏光板１８０上に拡散部１９４が反復配列されているものを示しているが、透明基板に拡散部１９４が反復配列された構造の拡散子１９０で構成してもよい。ただし、上部偏光板１８０上に直接拡散部１９４が設けられる構成が、厚さを薄くして像の染みを低減させることができる構造であるため、さらに望ましい。
【００３５】
バックライトユニット１１０は、画像を形成するための光を液晶パネルに提供するためのものであり、本発明でバックライトユニット１１０は、輝度半値幅の角度が概ね±２０°範囲内にあるように、コリメート（ｃｏｌｌｉｍａｔｅ）された光を液晶パネルに提供する構造を持つ。バックライトユニット１１０の実施形態は図１２及び図１３で示しており、これについては後述する。
【００３６】
次に、本発明の実施形態による液晶ディスプレイ装置１００の視野角の狭い個人モード及び視野角の広い公共モードでの駆動について説明する。
以下、ノーマリーホワイト（ｎｏｒｍａｌｌｙ  ｗｈｉｔｅ）駆動状態のＴＮ（Ｔｗｉｓｔｅｄ  Ｎｅｍａｔｉｃ）液晶モードを利用して説明するが、これは例示的なものであって、ＩＰＳ（Ｉｎ  Ｐｌａｎｅ  Ｓｗｉｔｃｈｉｎｇ）、ＶＡ（Ｖｅｒｔｉｃａｌ  Ａｌｉｇｎｍｅｎｔ）、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）などの液晶モードにも同じ原理が適用される。
【００３７】
また、図７を参照すると、視野角の狭い個人モードで駆動する光路を示している。このモードで、拡散領域Ｄに対応する液晶層１５０領域を通過した光は画像形成光として使用されず、透明領域Ｔに対応する液晶層１５０領域を通過した光のみ画像形成光として使用される。
【００３８】
バックライトユニット１１０から提供されるコリメートされた光は、下部偏光板１２０を通過しつつ一方向の直線偏光状態を有して液晶層１５０に入射される。この時、拡散領域Ｄに対応する液晶層１５０領域には、全体的にＴＦＴ１４０ａの制御によって電場が印加され、この部分を通過する光は、液晶層１５０への入射時の偏光状態をそのまま保持しつつ、液晶層１５０を通過して上部偏光板１８０に入射される。入射された光は、下部偏光板１２０の偏光軸と直交する偏光軸を持つ上部偏光板１８０で吸収される。このように、拡散領域Ｄに対応する液晶層１５０領域を通過した光は全体的にオフになって、画像形成光として使用されない。
【００３９】
一方、透明領域Ｔに対応する液晶層１５０領域を通過する光が画像形成光として使用される。すなわち、ＴＦＴ１４０ｂは、画像情報によって透明領域Ｔに対応する液晶層１５０領域をオン／オフ制御する。
【００４０】
図７では、画像オン状態を示しており、すなわち、透明領域Ｔに対応する液晶層１５０領域に電圧が印加されず、これにより、液晶層１５０に入射された光は、入射した時の偏光方向と直交する偏光状態を持つように偏光が変わって液晶層１５０を通過する。
したがって、上部偏光板１８０を透過して画像オン状態を形成する。このように、透明領域Ｔに対応する液晶層１５０領域を通過した光のみで画像を形成し、この時、液晶パネルへの入射時のコリメーション程度をそのまま保持していて、視野角の狭い個人モードを具現する。
【００４１】
図８は、視野角が相対的に広い公共モードで駆動する時の光路を示している。このモードでは、拡散領域Ｄに対応する液晶層１５０領域を通過した光は画像形成光として使用され、透明領域Ｔに対応する液晶層１５０領域を通過した光は画像形成光として使用されない。
【００４２】
すなわち、ＴＦＴ１４０ｂは、透明領域Ｔに対応する液晶層１５０領域を通過する光がオフになるように電場を印加する。また、ＴＦＴ１４０ａは、画像情報によって拡散領域Ｄに対応する液晶層１５０領域を通過する光をオン／オフ制御する。拡散領域Ｄを通過する光は拡散粒子により拡散され、したがって、視野角の広いモードが具現される。
【００４３】
図９は、視野角の相対的に広い公共モードが図８とは異なる方法で具現される時の光路を示している。このモードでは、拡散領域Ｄに対応する液晶層１５０領域を通過した光と、透明領域Ｔに対応する液晶層１５０領域を通過した光とが、いずれも画像形成光として使用する。
【００４４】
拡散領域Ｄに対応する液晶層１５０領域と、透明領域Ｔに対応する液晶層１５０領域とは、いずれも画像情報によって光をオン／オフするように制御され、同じサブ画素に対応する液晶層１５０領域を駆動するＴＦＴ１４０ａ、１４０ｂは同一に制御される。
この場合に形成される画像の視野角は、拡散領域Ｄを通過した光によって主に決定されるので、図７のような個人モードに比べて広い視野角を持つ。また、画像形成光として使用する光量が、図８のように公共モードを具現する場合に比べて多いので、さらに高い輝度分布を持つ。
【００４５】
図１０は、本発明の液晶ディスプレイ装置が図７の個人モードと図８の公共モードとで動作する時の輝度グラフを比較して示したグラフである。
グラフを参照すると、個人モードでは狭い視野角を持ち、公共モードでは広い視野角を持つように本発明のディスプレイ装置が動作することが分かる。
【００４６】
図１１は、本発明の液晶ディスプレイ装置が図７の個人モード、図８及び図９の公共モードで動作する時の輝度グラフを比較して示したグラフである。
図９についてのグラフは、「公共モード２」として表示した。グラフを参照すると、２つの場合の公共モードは、いずれも個人モードに比べて広い視野角を持ち、更に、図９のような方法で構成された公共モードの場合にさらに高い輝度特性を持つことが分かる。
【００４７】
図１２及び図１３は、図７〜図９で説明したディスプレイ装置１００に採用できるバックライトユニット１１０の実施形態の例としてバックライトユニット２００、３００を示す断面図である。
図１２は、本出願人が出願した大韓民国特許出願公開第１０−２００９−００１１８８７号明細書に開示されたものであり、コリメートされた光を提供するバックライトユニットで本発明のディスプレイ装置に適用できる例である。
【００４８】
バックライトユニット２００は側光型構造を持ち、光源２１３、光源からの光を液晶パネル側に案内する導光板２１５、導光板２１５上に配された逆プリズムシート２２０を備える。光源２１３としては、ＬＥＤ（Ｌｉｇｈｔ  Ｅｍｉｔｔｉｎｇ  Ｄｉｏｄｅ）のような点光源またはＣＣＦＬ（Ｃｏｌｄ  Ｃａｔｈｏｄｅ  Ｆｌｕｏｒｅｓｃｅｎｔ  Ｌａｍｐ）のような線光源が使われうる。
【００４９】
導光板２１５は、光を大きい高仰角で出射させて光効率を向上させるために、導光板２１５の上面と下面のうち少なくとも一面にプリズム２１７を形成できる。図１２では、導光板２１５の下面にプリズム２１７が形成された場合を示しているが、これは例示的なものであって、導光板２１５の上面及び下面に互に直交する方向に配列されたプリズムが形成される構造も可能である。
【００５０】
導光板２１５の上部には、下面にプリズム２２２が形成された逆プリズムシート２２０が配されている。逆プリズムシート２２０は、導光板２１５から出射された光を導光板２１５の上面に概ね垂直の方向に進行させる。
【００５１】
図１３は、本出願人が出願した大韓民国特許出願公開第１０−２００８−００７４５３５号明細書に開示されたものであって、コリメートされた光を提供するバックライトユニットで本発明のディスプレイ装置に適用できる例である。
【００５２】
バックライトユニット３００は、直下型構造を持ち、反射面を持つ反射器３１０内に配された光源３０５と、光源３０５からの光をコリメートするコリメーター３２０とを備える。
コリメーター３２０は、接合された第１板状部材３２１と第２板状部材３２２とを備える。コリメーター３２０は、複数の透光領域３２３とこれら間の非透光領域３２４とを有する。透光領域３２３は、第１板状部材３２１の第１透光領域３２３ａ及び第２板状部材３２２の第２透光領域３２３ｂを備える。
【００５３】
第１透光領域３２３ａと第２透光領域３２３ｂとの内表面は反射面３２３ａ’、３２３ｂ’である。非透光領域３２４は、入射された光を再び光源３０５または反射器４１０側に反射し返すように別途のミラーまたはミラー構造を持つことができる。これらの構造によれば、コリメーター３２０から出射する光は、入射時の光に比べて狭い角度範囲を持つようになる。
光源３０５とコリメーター３２０との間には、光を均一に拡散するための拡散板（図示せず）をさらに設けることもできる。
【００５４】
上述した図１２及び図１３は、液晶パネルに光を提供できるバックライトユニットの構造を例示して示したものであり、それ以外にもコリメートされた光を液晶パネルに提供できる多様な構造のバックライトユニットが本発明のディスプレイ装置に採用される。
【００５５】
図１４及び図１５は、本発明の他の実施形態による液晶ディスプレイ装置５００の概略的な構成を、それぞれ個人モードで動作する場合と公共モードで動作する場合の時の光路と共に示している。
【００５６】
本実施形態は、図７〜図９で説明した実施形態と、拡散子１９０の位置のみに相違がある。
本実施形態で拡散子１９０は、バックライトユニット１１０と液晶パネルとの間に配されており、他の構成は、図７〜図９で説明した液晶ディスプレイ装置の構成と実質的に同様である。
【００５７】
図１４の個人モードでは、透明領域Ｔを通過した光のみを画像形成光として使用して、相対的に狭い視野角を持つ画像を形成する。
図１５の公共モードでは、拡散領域Ｄを通過した光と透明領域Ｔを通過した光とをいずれも画像形成光として使用して、相対的に広い視野角を持つ画像を形成する。
また、公共モードを具現するに当たって、図１５に示したものと異なって、拡散領域Ｄを通過した光のみを画像形成光として使用する構成も可能である。
【００５８】
尚、本発明は、上述の実施形態に限られるものではない。本発明の技術的範囲から逸脱しない範囲内で多様に変更実施することが可能である。
【産業上の利用可能性】
【００５９】
本発明は、ＰＤＡ、ＰＭＰ、ＤＭＢなどの携帯用端末機のディスプレイ装置に好適に用いられる。
【符号の説明】
【００６０】
１０、１９０    拡散子
１２    基板
１４’    透明樹脂層
１４、１９４    拡散部
１６    マスク
１００、５００    液晶ディスプレイ装置
１１０、２００、３００    バックライトユニット
１２０、１８０    （下部及び上部）偏光板
１３０    下部透明基板
１４０    ＴＦＴ層
１４０ａ、１４０ｂ    ＴＦＴ
１５０    液晶層
１６０    カラーフィルタ
１７０    上部透明基板
２１３、３０５    光源
２１５    導光板
２１７、２２２    プリズム
２２０    逆プリズムシート
３１０、４１０    反射器
３２０    コリメーター
３２１、３２２    （第１及び第２）板状部材
３２３    透光領域
３２３ａ、３２３ｂ    （第１及び第２）透光領域
３２３ａ’、３２３ｂ’    反射面
３２４    非透光領域
Ｄ    拡散領域
ｄ    拡散領域の幅
Ｌ    周期
Ｔ    透明領域
【図１】
0005512173.tif 000002
【図２】
0005512173.tif 000003
【図３】
0005512173.tif 000004
【図４】
0005512173.tif 000005
【図５】
0005512173.tif 000006
【図６】
0005512173.tif 000007
【図７】
0005512173.tif 000008
【図８】
0005512173.tif 000009
【図９】
0005512173.tif 000010
【図１０】
0005512173.tif 000011
【図１１】
0005512173.tif 000012
【図１２】
0005512173.tif 000013
【図１３】
0005512173.tif 000014
【図１４】
0005512173.tif 000015
【図１５】
0005512173.tif 000016